(57)【要約】【課題】シビアな給電が必要な部品に給電する直流電源回路を安価に構成しつつ、当該部品に必要な直流電圧を確実に給電することができる電子機器を提供する。【解決手段】ＡＣ電源２７から第一直流電圧を生成する第一直流電源回路２９と、前記第一直流電源回路２９から増設可能な第一負荷群に給電する第一給電経路２６と、前記ＡＣ電源２７から前記第一直流電圧より高い第二直流電圧を生成する第二直流電源回路２８と、前記第二直流電源回路２８から第二負荷群に給電する第二給電経路２５を備えた電子機器１で、前記第二直流電源回路２８からの給電により前記第一直流電圧を生成する第三直流電源回路４５を増設可能に前記電子機器１を構成し、前記第三直流電源回路４５から前記第一負荷群の一部に給電する第三給電経路４６を前記電子機器１に設ける。【選択図】図１
2010049183.tif 000002
【特許請求の範囲】
【請求項１】
ＡＣ電源から第一直流電圧を生成する第一直流電源回路と、前記第一直流電源回路から増設可能な第一負荷群に給電する第一給電経路と、前記ＡＣ電源から前記第一直流電圧より高い第二直流電圧を生成する第二直流電源回路と、前記第二直流電源回路から第二負荷群に給電する第二給電経路を備えた電子機器であって、
前記第二直流電源回路からの給電により前記第一直流電圧を生成する第三直流電源回路が増設可能に構成され、前記第三直流電源回路から前記第一負荷群の一部に給電する第三給電経路が設けられている電子機器。
【請求項２】
前記第三給電経路から前記第一給電経路への電流の流出を抑制する電流抑制回路を備えている請求項１記載の電子機器。
【請求項３】
前記第一負荷群の一部に、前記第一直流電源回路から出力される第一直流電圧をモニタして、前記第一直流電圧が許容電圧より低下するときに、前記第三直流電源回路の増設を促すように報知する電圧監視部を設けている請求項１または２記載の電子機器。
【請求項４】
前記電圧監視部は、前記第一負荷群の接続状態を監視し、増設された第一負荷群の電流容量に基づいて増設されるべき第三直流電源回路の特性が判別できるように報知する請求項３記載の電子機器。
【請求項５】
前記電圧監視部は、増設される第三直流電源回路の特性が入力可能に構成され、増設された第三直流電源回路の適合性を判断し、その結果を報知する請求項４記載の電子機器。
【請求項６】
前記第三直流電源回路を収容する収容部が増設可能な第一負荷群に設けられている請求項１から５の何れかに記載の電子機器。
【請求項７】
請求項１から６の何れかに記載の電子機器が用紙に画像を印刷する画像形成装置であり、増設可能な第一負荷群が給紙ユニット、排紙ユニット、原稿読取ユニット、原稿搬送ユニット、データ記憶ユニットの何れかを含む画像形成装置。
【発明の詳細な説明】
【技術分野】
【０００１】
本発明は、ＡＣ電源から第一直流電圧を生成する第一直流電源回路と、前記第一直流電源回路から増設可能な第一負荷群に給電する第一給電経路と、前記ＡＣ電源から前記第一直流電圧より高い第二直流電圧を生成する第二直流電源回路と、前記第二直流電源回路から第二負荷群に給電する第二給電経路を備えた電子機器に関する。
【背景技術】
【０００２】
一台に複数の機能を備えた所謂複合機などの画像形成装置は、画像形成を行なう本体に追加したい機能を実行するオプションユニットを増設して構成されている。例えば、オプションユニットには、大量の用紙や種類の異なる用紙を給紙する給紙ユニット、ステイプルやパンチやソートなどの後処理を行なう排紙ユニット、原稿画像を読み取り画像データを生成する原稿読取ユニット、原稿載置部に載置した原稿を原稿読取ユニットに自動搬送する原稿搬送ユニット、再利用可能なように画像データを記憶するデータ記憶ユニットなどがある。
【０００３】
電子機器である画像形成装置は、ＣＰＵやＡＳＩＣやセンサなどの部品や、駆動モータやハードディスクや液晶パネルのバックライトなどの部品を備えている。前者部品と後者部品では駆動に要する電圧が異なるため、画像形成装置には、前者部品に給電する第一直流電圧をＡＣ電源から生成する第一直流電源回路と、後者部品に給電する第一直流電圧より高い第二直流電圧をＡＣ電源から生成する第二直流電源回路を備えた電源装置が接続されている。
【０００４】
例えば、特許文献１には、本体ユニットを駆動する本体ユニット駆動回路及び両面ユニットを駆動する両面ユニット駆動回路に必要な２４Ｖと、ロジック等の回路に必要な５Ｖを発生する電源が本体ユニットの内部に設けられているレーザビームプリンタが開示されている。
【特許文献１】特開平８−１０１６０７公報
【発明の開示】
【発明が解決しようとする課題】
【０００５】
電源装置から直流電圧が給電される部品には、正常動作を保証する電圧範囲が設定され、電源装置は当該電圧範囲で直流電圧を給電するように設計されている。特に、前者部品であるＣＰＵやＡＳＩＣなどの精密部品にはシビアな電圧範囲が設定されており、当該シビアな電圧範囲で直流電圧を給電することができるように第一直流電源回路は設計される。
【０００６】
ところが、電源装置が各部品に給電する直流電圧は、ユニットの増設で負荷が増加して、または、給電経路の抵抗が増加して生じた電圧降下により変動する。そこで、第一直流電源回路は、本体に増設可能なユニットを増設したときの電圧降下を十分に考慮して設計する必要がある。
【０００７】
しかし、本体に増設可能な全てのユニットを増設したときの電圧降下を想定して第一直流電源回路を設計すると、全ユニットを増設することはまれであるため、オーバースペックとなる可能性が高く、不要なコスト増加を生じることになる。また、当該電圧降下は、ＡＣ電源の電圧変動によっても生じる得るため、増設可能な全てのユニットを増設したときの電圧降下に加えて、当該ＡＣ電源の電圧変動をも考慮して第一直流電源回路を設計すると、さらなるコスト増加を生じることになる。
【０００８】
本発明の目的は、上述の問題に鑑み、シビアな給電が必要な部品に給電する直流電源回路を安価に構成しつつ、当該部品に必要な直流電圧を確実に給電することができる電子機器を提供する点にある。
【課題を解決するための手段】
【０００９】
上述の目的を達成するため、本発明による電子機器の第一の特徴構成は、特許請求の範囲の書類の請求項１に記載した通り、ＡＣ電源から第一直流電圧を生成する第一直流電源回路と、前記第一直流電源回路から増設可能な第一負荷群に給電する第一給電経路と、前記ＡＣ電源から前記第一直流電圧より高い第二直流電圧を生成する第二直流電源回路と、前記第二直流電源回路から第二負荷群に給電する第二給電経路を備えた電子機器であって、前記第二直流電源回路からの給電により前記第一直流電圧を生成する第三直流電源回路が増設可能に構成され、前記第三直流電源回路から前記第一負荷群の一部に給電する第三給電経路が設けられている点にある。
【００１０】
第三直流電源回路を増設することで、第一負荷群の増設で第一直流電源回路から給電する第一直流電圧に生じる電圧降下が改善し、第一負荷群に必要な直流電圧を給電することができる可能性が高くなる。
【００１１】
同第二の特徴構成は、同請求項２に記載した通り、上述の第一特徴構成に加えて、前記第三給電経路から前記第一給電経路への電流の流出を抑制する電流抑制回路を備えている点にある。
【００１２】
上述の構成によれば、第一給電経路から給電する第一負荷群の一部に第三給電経路からの電流が回り込むなどして発生する虞のある、当該第一負荷群の一部の損傷発生を防止することができる。
【００１３】
同第三の特徴構成は、同請求項３に記載した通り、上述の第一または第二の特徴構成に加えて、前記第一負荷群の一部に、前記第一直流電源回路から出力される第一直流電圧をモニタして、前記第一直流電圧が許容電圧より低下するときに、前記第三直流電源回路の増設を促すように報知する電圧監視部を設けている点にある。
【００１４】
第一負荷群の正常動作が保証される下限電圧である許容電圧より第一直流電圧が低下すると、第一負荷群の正常動作が不安定になる虞があるため、第三直流電源回路の増設が必要となる。上述の構成によれば、電圧監視部の報知に基づいて第三直流電源回路の増設が必要か否かを容易に判断することができ、オーバースペックを防止してコストを抑制することができる。
【００１５】
同第四の特徴構成は、同請求項４に記載した通り、上述の第三特徴構成に加えて、前記電圧監視部は、前記第一負荷群の接続状態を監視し、増設された第一負荷群の電流容量に基づいて増設されるべき第三直流電源回路の特性が判別できるように報知する点にある。
【００１６】
電圧監視部の報知に基づいて適切な第三直流電源回路を増設することで、第一負荷群の正常動作に必要な許容電圧以上の直流電圧を第一負荷群に確実に給電することができる。
【００１７】
同第五の特徴構成は、同請求項５に記載した通り、上述の第四特徴構成に加えて、前記電圧監視部は、増設される第三直流電源回路の特性が入力可能に構成され、増設された第三直流電源回路の適合性を判断し、その結果を報知する点にある。
【００１８】
本来増設すべき第三直流電源回路でない第三直流電源回路を誤って増設したようなとき、当該誤りを容易に認識することができる。
【００１９】
同第六の特徴構成は、同請求項６に記載した通り、上述の第一から五の何れかの特徴構成に加えて、前記第三直流電源回路を収容する収容部が増設可能な第一負荷群に設けられている点にある。
【００２０】
収容部を設けることで、第三直流電源回路の増設が容易である。
【００２１】
本発明による画像形成装置の特徴構成は、同請求項７に記載した通り、第一から六の何れかの特徴構成を備えた電子機器が用紙に画像を印刷する画像形成装置であり、増設可能な第一負荷群が給紙ユニット、排紙ユニット、原稿読取ユニット、原稿搬送ユニット、データ記憶ユニットの何れかを含んでいる点にある。
【００２２】
給紙ユニット、排紙ユニット、原稿読取ユニット、原稿搬送ユニット、または、データ記憶ユニットの何れかが増設された画像形成装置は、本発明を採用する電子機器として好適である。
【発明の効果】
【００２３】
以上説明した通り、本発明によれば、シビアな給電が必要な部品に給電する直流電源回路を安価に構成しつつ、当該部品に必要な直流電圧を確実に給電することができる電子機器を提供することが可能となった。
【発明を実施するための最良の形態】
【００２４】
以下に、本発明を採用した電子機器について説明する。電子機器１は、機器本体３と、本体３に増設可能に構成され、電子機器１の機能を拡張するオプションユニットと、本体３及びオプションユニットに直流電圧を給電する電源装置２を備えている。図１に示すように、電子機器１の本体３には、二つのオプションユニット（第一ユニット４と第二ユニット５）が増設されている。
【００２５】
本体３と第一ユニット４と第二ユニット５は、第一直流電圧が給電される第一負荷３０、４０、５０（以下、「第一負荷群」とも記載する。）と、第一直流電圧より高い第二直流電圧が給電される第二負荷３１、４１、５１（以下、「第二負荷群」とも記載する。）と、夫々の第一負荷３０、４０、５０及び第二負荷３１、４１、５１を制御する制御部３３、４３、５３を備えている。
【００２６】
システム制御部３３と第一ユニット制御部４３と第二ユニット制御部５３は、ＣＰＵとＣＰＵにより実行される動作プログラムが記憶されたＲＯＭとＣＰＵの作業領域であるＲＡＭと周辺回路を備えている。また、システム制御部３３と第一ユニット制御部４３と第二ユニット制御部５３は信号ラインにより相互に接続されている。
【００２７】
システム制御部３３と第一ユニット制御部４３と第二ユニット制御部５３は、第一給電経路２６から給電される第一直流電圧を降圧回路３２、４２、５２で所定電圧に降圧した直流電圧で駆動する。つまり、システム制御部３３と第一ユニット制御部４３と第二ユニット制御部５３は、降圧回路３２、４２、５２と協働して、第一負荷３０、４０、５０の一部として第一給電経路２６から給電されている。
【００２８】
電源装置２は、ＡＣ電源２７から第一直流電圧を生成する第一直流電源回路２９と、ＡＣ電源２７から第二直流電圧を生成する第二直流電源回路２８を備えている。
【００２９】
本体３と第一ユニット４と第二ユニット５と電源装置２は、不図示のコネクタを介して給電経路が接続される。当該接続により電子機器１には、第一直流電源回路２９から第一負荷群に給電する第一給電経路２６と、第二直流電源回路２８から第二負荷群に給電する第二給電経路２５が形成される。
【００３０】
このように、電子機器１は、ＡＣ電源２７から第一直流電圧を生成する第一直流電源回路２９と、第一直流電源回路２９から増設可能な第一負荷群に給電する第一給電経路２６と、ＡＣ電源２７から第一直流電圧より高い第二直流電圧を生成する第二直流電源回路２８と、第二直流電源回路２８から第二負荷群に給電する第二給電経路２５を備えている。
【００３１】
システム制御部３３は、第一負荷３０及び第二負荷３１を直接制御し、また、第一及び第二ユニット制御部４３、５３を介して第一負荷４０、５０及び第二負荷４１、５１を制御して、電子機器１を統括制御する。
【００３２】
ところで、第一負荷４０、５０の電流容量や、第一給電経路２６やコネクタの抵抗で、第一給電経路２６から第一負荷群に給電する第一直流電圧には電圧降下が生じる。当該電圧降下で第一直流電圧が許容電圧（第一負荷群の正常動作を保証する電圧の下限電圧）より低下すると、第一負荷群の動作が不安定になる虞がある。
【００３３】
そこで、電子機器１は、当該第一直流電圧が許容電圧より低下することがないように、第二直流電源回路２８からの給電により第一直流電圧を生成する第三直流電源回路が増設可能に構成され、第三直流電源回路から第一負荷群の一部に給電する第三給電経路が設けられている。以下に詳述する。
【００３４】
電子機器１には、第三直流電源回路を収容する収容部が増設可能な第一負荷群に設けられている。本実施形態では、第一ユニット４に当該収容部が設けられている。また、第三直流電源回路はレギュレータを備え、当該レギュレータで第二直流電圧から第一直流電圧を生成して出力するように構成されている。
【００３５】
従って、第三直流電源回路４５を当該収容部に収容することで、第三給電経路４６を介して、第三直流電源回路４５が生成した第一直流電圧を第一負荷群の一部である第一負荷４０に給電することができる。
【００３６】
第一給電経路２６と第三給電経路４６は共に第一負荷４０に接続されているため、第一給電経路２６と第三給電経路４６は電気的に接続されている。そこで、第一給電経路２６と第三給電経路４６の接続ラインには、第三給電経路４６から第一給電経路２６への電流の流出を抑制する電流抑制回路としてダイオード４４が設けられている。ダイオード４４のアノードは第一給電経路２６側と接続され、カソードは第三給電経路４６側と接続されている。
【００３７】
上述のように第一負荷群にはシステム制御部３３と第一ユニット制御部４３と第二ユニット制御部５３が含まれており、特に、起動時の第一負荷群の電源特性はシビアであるが、ダイオード４４が設けられていることにより、当該第一負荷群への電流回り込みによる損傷が効果的に防止される。
【００３８】
システム制御部３３は、第一直流電源回路２９から出力される第一直流電圧をモニタして、第一直流電圧が許容電圧より低下するときに、第三直流電源回路４５の増設を促すように報知する電源監視部３７を備えている。電源監視部３７は、システム制御部３３のＣＰＵがＲＯＭに記憶した動作プログラムを実行してシステム制御部３３に具現化される機能ブロックである。
【００３９】
本体３は、第一直流電圧を所定電圧に降圧したモニタ用電圧を生成するモニタ電圧生成回路３９と、第一直流電圧をモニタする際の基準電圧を第二直流電圧から生成する基準電圧生成回路３８を備えている。基準電圧は第一直流電圧の許容電圧に基づいて設定されている。
【００４０】
モニタ電圧生成回路３９は、二つの抵抗素子により第一直流電圧を分圧してシステム制御部３３のＡＤポートに入力する。基準電圧生成回路３８は、例えば、ドロッパ型のレギュレータで構成され、安定した基準電圧を第二直流電圧から生成してシステム制御部３３のＡＤポートに入力する。
【００４１】
電源監視部３７は、基準電圧生成回路３８及びモニタ電圧生成回路３９から入力された基準電圧とモニタ用電圧をＡＤ変換して、夫々の値を比較する。モニタ用電圧が基準電圧より低下すると、第一直流電圧が許容電圧より低下していると判断して、例えば、本体３に備えられた操作部（不図示）の液晶表示部等を介して、第三直流電源回路４５の増設を促すように報知する。
【００４２】
ここで、電源監視部３７は、第一負荷群の接続状態を監視し、増設された第一負荷群の電流容量に基づいて増設されるべき第三直流電源回路４５の特性が判別できるように報知するように構成されている。以下に詳述する。
【００４３】
システム制御部３３に備えられているＲＯＭには、本体３に接続可能なユニット（第一ユニット４及び第二ユニット５以外の本体３に接続可能なユニットを含む）に設けられた第一負荷の電流容量が記憶された電流容量テーブルデータと、第一ユニット４の収容部に収容可能な第三直流電源回路４５毎の特性（例えば、夫々の電流容量や、スイッチングレギュレータやシリーズレギュレータなどの夫々の型式など）が記憶された第三直流電源回路テーブルデータが記憶されている。
【００４４】
電源監視部３７は、第一及び第二ユニット制御部４３、５３と通信して、第一負荷４０、５０の種別（当該種別とは、第一負荷がどのような部品であるかを示すものであり、例えば、ＣＰＵやＡＳＩＣやセンサなどを示す。）や電流容量などの接続負荷情報を取得して、増設された第一負荷群の接続状態を監視する。
【００４５】
電源監視部３７は、電流容量テーブルデータを参照して、接続負荷情報に基づき増設された第一負荷群（本実施形態では第一負荷４０、５０）の電流容量を算出する。第三直流電源回路テーブルデータを参照して、第一ユニット４に収容する第三直流電源回路４５から給電する第一負荷（本実施形態では第一負荷４０）の電流容量を少なくとも確保できる第三直流電源回路４５を当該電流容量に基づいて選択する。選択した第三直流電源回路４５の特性が判別できるように報知する。
【００４６】
さらに、電圧監視部３７は、第三直流電源回路４５の収容間違いを防止するため、増設される第三直流電源回路４５の特性が入力可能に構成され、増設された第三直流電源回路４５の適合性を判断し、その結果を報知するように構成されている。以下に詳述する。
【００４７】
図２に示すように、第三直流電源回路４５は特性データ出力部４５１を備えている。特性データ出力部４５１は、自身が備えられた第三直流電源回路４５のレギュレータ４５０の特性を示すビット信号を、ビット信号ラインを介してシステム制御部３３の入力ポートＰ０からＰ２に入力する。
【００４８】
ビット信号ラインには、レギュレータ４５０が生成した第一直流電圧が入力され、当該ビット信号ラインを導通または遮断することで当該ビット信号が生成される。図２ではシステム制御部３３に「０１１」のビット信号が入力されている。なお、本実施形態では、特性データ出力部４５１は、３ビットのビット信号を出力するように構成されているが、当該ビット信号のビット数は、増設可能な第三直流電源回路４５の特性に応じて適宜変更すればよいことは言うまでもない。
【００４９】
第三直流電源回路テーブルデータには、本体３に接続可能なオプションユニットに増設可能な第三直流電源回路４５毎に、夫々に対応するビット信号が記憶されている。
【００５０】
電源監視部３７は、特性データ出力部４５１から入力されるビット信号に基づいて、第一ユニット４の収容部に収容された第三直流電源回路４５の特性を把握し、増設された第三直流電源回路４５が本来増設すべき第三直流電源回路４５に適合するか否かを判断し、当該判断の結果を報知する。適合するとの判断結果を得たときには、適合した旨を報知し、適合しないとの判断結果を得たときには、第三直流電源回路４５が誤って増設されており、正しい第三直流電源回路４５に交換すべきである旨を報知する。
【００５１】
電圧監視部３７の動作について、図３に示すフローチャートを用いて説明する。
【００５２】
電圧監視部３７は、第一及び第二ユニット制御部４３、５３と通信して、増設された第一負荷群の接続状態を監視し、第一負荷群の電流容量を算出する（Ｓ１）。また、第一直流電圧をモニタし、第一直流電圧が許容電圧より低下すると（Ｓ２）、ステップ１の監視で算出した第一負荷群の電流容量に基づいて増設されるべき第三直流電源回路４５を選択し、選択した第三直流電源回路４５の特性が判別できるように報知し、当該第三直流電源回路４５の増設を要求する（Ｓ３）。
【００５３】
収容部に収容されて増設された第三直流電源回路４５から入力される自身の特性を示すビット信号に基づき、電圧監視部３７は、増設された第三直流電源回路４５の適合性を判断する（Ｓ４）。
【００５４】
電圧監視部３７は、適合すると判断したとき（Ｓ５）、適合する旨を報知し（Ｓ６）、適合しないと判断したとき（Ｓ５）、増設された第三直流電源回路４５を本来増設されるべき第三直流電源回路４５に交換することを推奨する旨を報知する（Ｓ７）。
【００５５】
以下に、用紙に画像を印刷する画像形成装置が本発明の電子機器である場合の実施形態について説明する。
【００５６】
図４に示すように、画像形成装置１０は、電子写真方式で用紙に画像を形成する本体８と、本体８に増設可能なオプションユニットと、本体８及びオプションユニットに直流電圧を給電する電源装置９を備えている。本体８に増設可能なオプションユニットは、給紙ユニット、排紙ユニット、原稿読取ユニット、原稿搬送ユニット、データ記憶ユニットなどでなる。
【００５７】
図４に示すように、本実施形態の画像形成装置１０は、本体８に、原稿読取ユニット６と給紙ユニット７が増設されているが、上述のオプションユニットの何れかを含むオプションユニットを本体８に増設した画像形成装置１０に対しても本発明は適用可能である。
【００５８】
本体８は、操作部８６と、用紙に画像を形成する不図示のプリントエンジンと、これらを制御するシステム制御部８３を備えている。本体８は、第一負荷８０として、ＣＰＵ８４と、ＣＰＵ８４に給電する降圧回路８２と、画像処理用ＡＳＩＣ８５と、第一直流電圧を所定電圧に降圧したモニタ用電圧を生成するモニタ電圧生成回路８９と、用紙の有無や定着温度などを検出するセンサなどを備えている。降圧回路８２や後述する降圧回路６２、７２は、所謂三端子レギュレータなどでなる。
【００５９】
第二負荷８１として、第一直流電圧をモニタする際の基準電圧を第二直流電圧から生成する基準電圧生成回路８８と、操作部８６に備えられた液晶パネル８６０のバックライト８６１と、プリントエンジンに備えられた感光体や用紙搬送ローラなどを駆動するモータ８１０やクラッチ８１１を備えている。
【００６０】
ＣＰＵ８４と降圧回路８２と画像処理用ＡＳＩＣ８５とモニタ電圧生成回路８９と基準電圧生成回路８８は基板に配置され、システム制御部８３を構成している。システム制御部８３は電圧監視部８７を備えている。
【００６１】
給紙ユニット７は、複数の給紙カセット（不図示）と、各給紙カセットから用紙を給紙する給紙ローラ（不図示）と、給紙ローラを制御する給紙制御部７３を備えている。また、給紙ユニット７は、第三直流電源回路７５を収容する収容部を備えている。収容部に収容した第三直流電源回路７５から第一負荷７０に第一直流電圧を給電する第三給電経路７６を備えている。
【００６２】
給紙制御部７３はＣＰＵやＣＰＵに給電する降圧回路７２を備えている。給紙ユニット７は、第一負荷７０として用紙の有無を検出するセンサ７００と給紙制御部７３を備え、第二負荷７１として給紙ローラを駆動するモータ７１０を備えている。
【００６３】
原稿読取ユニット６は、原稿を照射する光源と、光源からの反射光を受光して原稿画像の画像データを生成するスキャナＣＣＤ６１０と、原稿載置部から原稿を搬送し、スキャナＣＣＤ６１０で原稿画像の読み取りが完了した原稿を排紙トレイに排紙する搬送ローラや搬送ベルトと、これらを制御する読取制御部６３を備えている。
【００６４】
読取制御部６３はＣＰＵやＣＰＵに給電する降圧回路６２を備えている。原稿読取ユニット６は、第一負荷６０として用紙の有無を検出するセンサ６００と読取制御部６３を備え、第二負荷６１として搬送ローラや搬送ベルトを駆動するモータ６１１や、スキャナＣＣＤ６１０を備えている。
【００６５】
電源装置９は、ＡＣ電源９７から第一直流電圧を生成する第一直流電源回路９９と、ＡＣ電源９７から第一直流電圧より高い第二直流電圧を生成する第二直流電源回路９８を備えている。図５に示すように、第一直流電源回路９９と第二直流電源回路９８は、ＡＣ電源９７からＡＣ１００Ｖが一次側に入力され、二次側にＡＣ１２ＶとＡＣ２６Ｖを出力するトランスと、トランスの出力を整流する整流回路と、ＡＣ５Ｖ及びＡＣ１２Ｖを出力するレギュレータを備えている。
【００６６】
また、本体８に給紙ユニット７と原稿読取ユニット６が増設されて、電源装置９から本体８と給紙ユニット７と原稿読取ユニット６に第一直流電圧及び第二直流電圧を給電する第一給電経路９６と第二給電経路９５が形成されている。第一給電経路９６から第一負荷７０への給電経路には、第三給電経路７６から第一給電経路９６への電流の流出を抑制する電流抑制回路としてのダイオード７４が備えられている。
【００６７】
電源監視部８７は、読取制御部６３及び給紙制御部７３との通信で、本体８に増設されたオプションユニットが原稿読取ユニット６と給紙ユニット７であることを認識し、夫々に備えられた第一負荷６０、７０である第一負荷群の電流容量を算出する。
【００６８】
また、モニタ電圧生成回路８９から入力されるモニタ電圧が基準電圧生成回路８８から入力される基準電圧より低下すると、第一直流電圧が許容電圧より低下したと判断する。
【００６９】
電源監視部８７は、第一直流電圧が許容電圧より低下したと判断すると、算出した第一負荷群の電流容量に基づいて、増設されるべき第三直流電源回路７５の特性が判別できるように操作部８６に報知し、第三直流電源回路７５の増設を促す。
【００７０】
また、電源監視部８７は、第三直流電源回路７５が収容部に収容されて増設された後、当該第三直流電源回路７５の特性に基づいて当該第三直流電源回路７５の適合性を判断し、その結果を報知する。
【００７１】
以下、別実施形態について説明する。
【００７２】
上述の実施形態では、本体に増設する二つのオプションユニットのうち、特定の一つのオプションユニットが第三直流電源回路を増設可能に構成されているものとして説明したが、本体に増設する二以上のオプションユニットに当該収容部が設けられていてもよい。
【００７３】
図６（ａ）から（ｄ）を用いて、第三直流電源回路を増設可能に構成されているオプションユニットを本体に増設する際の、第三直流電源回路の増設に関して説明する。なお、図６（ａ）から（ｄ）では、第一直流電圧を「Ｖ１」、第二直流電圧を「Ｖ２」と表記している。
【００７４】
図６（ａ）には、電源装置が接続された本体に電流容量の小さなユニットＡのみが増設されている電子機器が示されている。当該電子機器では、ユニットＡの増設で第一直流電圧が許容電圧より低下することはなく、電源監視部による報知は行われない。ユニットＡに第三直流電源回路を増設する必要はなく、ユニットＡに設けられた第一負荷に第一給電経路から第一直流電圧が給電される。
【００７５】
図６（ｂ）には、図６（ａ）に示す電源装置に電流容量の小さなユニットＢを増設した電子機器が示されている。ユニットＢに設けられた第一負荷の電流容量は小さいため、当該電子機器でも、第一直流電圧が許容電圧より低下することはなく、電源監視部による報知は行われない。ユニットＡまたはユニットＢに第三直流電源回路を増設する必要はなく、夫々に設けられた第一負荷に第一給電経路から第一直流電圧が給電される。
【００７６】
図６（ｃ）には、図６（ａ）に示す電源装置に電流容量の大きなユニットＣを増設した電子機器が示されている。ユニットＣに設けられた第一負荷の電流容量が大きく、第一給電経路から第一負荷群に給電される第一直流電圧が許容電圧より低下すると、電源監視部は増設されるべき第三直流電源回路の特性を報知し、第三直流電源回路の増設を促す。
【００７７】
当該報知に基づいて第三直流電源回路がユニットＣに増設されると、第三給電経路からユニットＣの第一負荷に第一直流電圧が給電される。これにより、第一負荷群へ給電する第一直流電圧が許容電圧まで低下することを防止することができる。
【００７８】
図６（ｄ）には、電源装置が接続された本体に電流容量の大きなユニットＣとユニットＤを増設した電子機器が示されている。ユニットＣ及びユニットＤに設けられた第一負荷の電流容量が大きく、第一給電経路から第一負荷群に給電される第一直流電圧が許容電圧より低下すると、電源監視部は増設されるべき第三直流電源回路の特性を報知し、第三直流電源回路の増設を促す。
【００７９】
当該報知に基づいてユニットＣ及びユニットＤに第三直流電源回路が夫々増設されると、ユニットＣ及びユニットＤの第一負荷に各第三給電経路から第一直流電圧が給電される。これにより、第一負荷群へ給電する第一直流電圧が許容電圧まで低下することを防止することができる。
【００８０】
上述の実施形態では、電流抑制回路は、ダイオードでなるものとして説明したが、ダイオードを備えず、第三直流電源回路を増設する際に、当該第三直流電源回路から給電される第一負荷に、第一給電経路から第一直流電圧を給電する給電経路をカットしてもよい。この場合、例えば、当該給電経路をカットするスイッチを設け、電流抑制回路となる当該スイッチにより当該給電経路をカットすればよい。本体とオプションユニットを接続するコネクタのうち、当該給電経路に関連するコネクタを接続しないようにしてもよい。このとき、当該コネクタが電流抑制回路として機能する。また、電流抑制回路は、流れる電流が大きくなると抵抗が大きくなる所謂電流リミッタであってもよい。
【００８１】
上述の実施形態では、第一給電経路は、電源装置から本体及び全てのオプションユニットまで単一の給電経路で構成されているものを説明したが、電源装置から本体及び全てのオプションユニット毎への複数の給電経路で構成されているものであってもよい。
【００８２】
上述の実施形態では、第三直流電源回路は、オプションユニットに増設するものとしたが、本体に増設可能に構成されるものであってもよい。
【００８３】
上述した実施形態は何れも本発明の一実施例に過ぎず、当該記載により本発明の範囲が限定されるものではなく、各部の具体的構成は本発明による作用効果を奏する範囲において適宜変更することができることはいうまでもない。
【図面の簡単な説明】
【００８４】
【図１】電子装置の説明図
【図２】特性データ出力部の説明図
【図３】電源監視部の動作を説明するフローチャート
【図４】画像形成装置の説明図
【図５】電源装置の説明図
【図６】（ａ）から（ｄ）は別実施形態での電子機器の説明図
【符号の説明】
【００８５】
１、１０：電子機器、画像形成装置
２、９：電源装置
３、８：本体
４、７：第一オプションユニット、給紙ユニット
５、６：第二オプションユニット、原稿読取ユニット
２５、９５：第二給電経路
２６、９６：第一給電経路
２７、９７：ＡＣ電源
２８、９８：第二直流電源回路
２９、９９：第一直流電源回路
３７、８７：電源監視部
４４、７４：電流抑制回路
４５、７５：第三直流電源回路
４６、７６：第三給電経路
【図１】
2010049183.tif 000003
【図２】
2010049183.tif 000004
【図３】
2010049183.tif 000005
【図４】
2010049183.tif 000006
【図５】
2010049183.tif 000007
【図６】
2010049183.tif 000008